Podtech/llm-jp-corpus-v4-ja_patent huggingface dataset:
(57)【要約】
【課題】　本考案はフラワーポット等の容器を入れるポットバックに関し、特にを簡単に制作することができ、軽く安価なポットバックを提供するものである。
【解決手段】　本発明は折れ線に沿って折り曲げ加工を行うことによって目的のポットバック１を作成することができる。この際、折れ線には、例えば折り返し又は折り込みの別を表示し、より容易にポットバック１の制作を行うものである。このように構成することにより、簡単でより安価な紙容器を提供することができる。
【選択図】　　　図１
0003100112.tif 000002
【実用新案登録請求の範囲】
【請求項１】
　ポットバックの外形と折れ線に沿って折り曲げ、取手を取り付ける位置に開口が形成されたことを特徴とするポットバック作成用用紙。
【請求項２】
　ポットバックの外形と折れ線に沿って折り曲げ、取手を取り付ける位置に開口が形成された用紙であって、
　折れ線に沿って折り込み、又は折り返しを行い、前記開口にカシメ手段を用いて取手が取り付けられたことを特徴とするポットバック。
【請求項３】
　フラワーポットを入れることを特徴とする請求項２記載のポットバック。
【請求項４】
　一面に防水処理が施された用紙であって、該一面を内面とすることを特徴とする請求項２、又は３記載のポットバック。
【考案の詳細な説明】
【技術分野】
【０００１】
　本考案は、フラワーポット等の容器を入れるポットバックに関する。
【背景技術】
【０００２】
　小型のフラワーポット等、花や植物の栽培に小型容器が広く使用されている。そして、上記フラワーポット等の小型容器を収納する際、紙で制作した紙容器も提案されている。
　特許文献１は紙容器の発明であり、例えば８角形の天板の周辺に花弁状に２種類の側壁を交互に折り込んで紙容器を制作する発明である。
【特許文献１】特開平７−７６３３５号公報
【考案の開示】
【考案が解決しようとする課題】
【０００３】
　しかしながら、上記紙容器の場合、展開図が複雑であり、容器の作成も煩雑であり、紙容器の作成に時間を要する。
【課題を解決するための手段】
【０００４】
　上記課題は本考案によれば、ポットバックの外形と折れ線に沿って折り曲げ、取手を取り付ける位置に開口が形成されたポットバック作成用用紙を提供することによって達成できる。
【０００５】
　ここで、上記用紙は和紙、洋紙いずれであってもよく、上記用紙を使用して折り曲げ加工することによってポットバックを作成することができる。
　また、上記課題は本考案によれば、ポットバックの外形と折れ線に沿って折り曲げ、取手を取り付ける位置に開口が形成された用紙であって、折れ線に沿って折り込み、又は折り返しを行い、前記開口にカシメ手段を用いて取手が取り付けられたポットバックを提供することによって達成できる。。
【０００６】
　このように構成することにより、より容易に目的のポットバックの作成を行うことができる。
　また、上記考案のポットバックは、例えばフラワーポットを入れる構成であり、このように構成することにより、本考案のポットバックをフラワーポットを入れる容器として利用でき、フラワーアレンジメント用の容器としても使用できる。
【０００７】
　また、上記考案のポットバックは、例えば一面に防水処理が施された用紙を使用して作成し、該一面を内面とすることにより、直接ポットバックに水を入れて花瓶として機能させることもできる。
【０００８】
　また、本考案のポットバックは持ち帰り紙袋の役目を兼ね、過剰包装による資源の無駄を無くし、ゴミ処理の問題を軽減することができる。
　さらに、鉢カバーとしても利用することができる。
【考案の効果】
【０００９】
　本考案は上記構成により、花や小型の植物等を入れる容器を簡単に作成することができ、軽く安価な紙容器を提供することができる。
　また、上記のように、本考案のポットバックは、フラワーポットを入れる容器として、フラワーアレンジメント用の容器として、花瓶として、持ち帰り紙袋として、更には鉢カバーとしても利用することができる。
【考案を実施するための最良の形態】
【００１０】
　以下、本考案の実施形態を図面に基づいて詳細に説明する。
　図１は本実施形態のポットバックの外観図である。本例のポットバック１は比較的厚手の洋紙、又は和紙で作成され、折り線に従って折り込み、又は折り返しを行う作業によって制作することができる。
【００１１】
　また、同図に示すようにポットバック１には取手２が取り付けられ、持ち運び可能な構成である。この取手２は両端を金具３によってカシメ処理を行って取り付けられている。また、ポットバック１の外観には上記用紙の折り曲げ加工の状態が表れている。尚、ポットバック１の４角に表出する４ａ〜４ｄは後述する用紙の折り返し部であり、この折り返し部４ａ〜４ｄによってポットバック１の形状が保持される。
【００１２】
　以下、上記ポットバック１の作成過程を説明する。
　図２はポットバック１の展開図である。尚、同図では、ポットバック１の外形を実線で示し、折れ線を点線で示している。また、ポットバック１の外形は実線で示すことなく、この形状に形成された用紙を使用する構成としてもよい。
【００１３】
　また、折れ線には折り込み線であるか、又は折り返し線であるかの判別を可能とするため、同図では例えば折り込み線を点線で示し、折り返し線を一点鎖線で示している。尚、点線の色を変える方法や、更には折り込み線と折り返し線の別を記載する等の方法を使用してもよい。
【００１４】
　また、開口７ａと８ａ、７ｂと８ｂは、取手２を取り付けための穴であり、折れ線（折り返し線）９ａ、９ｃを折り返すことによって開口７ａと８ａ、及び７ｂと８ｂは嵌合し、後述するように金具３によってカシメ処理され、ポットバック１に取手２が取り付けられる。
【００１５】
　また、ポットバック１の作成は、折れ線（折り返し線）９ａ〜９ｄに沿って上記金具３の取り付け部を折り返し、次に折れ線（折り込み線）１０ａ〜１０ｄを折り込む。さらに、４角に位置する折れ線（折り込み線）６ａ〜６ｄを折り込むと共に、折れ線（折り返し線）１１ａ〜１１ｄ及び１２ａ〜１２ｄを折り返す。
【００１６】
　上記作業によって、ポットバック１の４角の外観は、図３に示す状態であり、この状態から折り返し部４ａ〜４ｄを折れ線（折り返し線）４ａ’〜４ｄ’に沿って折り返すことによって４角が固定され、前述の図１に示すポットバック１が作成される。
【００１７】
　以上のように、本例のポットバック１の作成は容易に行うことができ、一方形状の固定も確実であり、極めて安価なポットバックを作成することができる。
【図面の簡単な説明】
【００１８】
【図１】本実施形態のポットバックの外観図である。
【図２】本実施形態のポットバックの展開図である。
【図３】ポットバックの制作過程を示す図である。
【符号の説明】
【００１９】
　１　ポットバック
　２　取手
　３　金具
　４ａ〜４ｄ　折り返し部
　６ａ〜６ｄ　折り返し線
　７ａ、７ｂ、８ａ、８ｂ　開口
　９ａ〜９ｄ　折れ線（折り返し線）
　１０ａ〜１０ｄ　折れ線（折り込み線）
　１１ａ〜１１ｄ、１２ａ〜１２ｄ　折れ線（折り返し線）
【図１】
0003100112.tif 000003
【図２】
0003100112.tif 000004
【図３】
0003100112.tif 000005
(57)【要約】
【課題】　テレビジョン平面画像を立体画像に変換する装置の提供。
【解決手段】　テレビジョン画像入力回路、像位検出器、像位整形器を具え、除算器、画像水平制御回路、パリティー水平移動画像出力回路と発射器及びパリティー水平移動画像受信の眼鏡を具え、除算器でテレビジョン画像入力回路、像位検出器及び像位整形器の形成するテレビジョン画像を奇数画像と偶数画像に分け、この画像を水平制御回路及びパリティー水平移動画像出力回路で処理して発射器で発射し、パリティー水平移動画像受信の眼鏡で受信して立体画面を現出する。
【選択図】　　　　図１
0003100188.tif 000002
【実用新案登録請求の範囲】
【請求項１】
　テレビジョン画像入力回路、像位検出器、像位整形器を具えたテレビジョン平面画像を立体画像に変換する装置において、除算器、画像水平制御回路、パリティー水平移動画像出力回路と発射器及びパリティー水平移動画像受信の眼鏡を具え、除算器でテレビジョン画像入力回路、像位検出器及び像位整形器の形成するテレビジョン画像を奇数画像と偶数画像に分け、この画像を水平制御回路及びパリティー水平移動画像出力回路で処理して発射器で発射し、パリティー水平移動画像受信の眼鏡で受信して立体画面を現出することを特徴とする、テレビジョン平面画像を立体画像に変換する装置。
【考案の詳細な説明】
【技術分野】
【０００１】
　本考案は一種のテレビジョン平面画像を立体画像に変換する装置に係り、特に、普通のテレビジョン番組の単一画面を電子技術を利用して二つの順序を有する水平移動画面となし、立体画面を達成する装置であり、受信眼鏡により立体画像を観賞できる装置に関する。
【背景技術】
【０００２】
　テレビジョンの発明以来、テレビジョン番組はいずれも平面画面とされ、このため番組内容の充実が要求の方向とされ、テレビジョン業者もテレビジョン画面の明晰度と画面効果の改善を行なうに過ぎなかった。周知の立体映画或いはテレビ映画は、画像画面の製作上、その技術の複雑性は比較的高く、このためその製作費用も比較的高く、このため一般家庭でテレビ観賞する時、映画のように更にハイレベルの立体画面を享受することはできない。これはテレビジョン番組がいずれも平面画面とされ、視聴者のテレビジョン番組中で立体画面を観賞する要求を満足させられないためである。これは周知のことであり、且つ一般大衆が共同で体験する事実と欠点である。
【考案の開示】
【考案が解決しようとする課題】
【０００３】
　本考案の目的は、一般のテレビジョン番組中で立体画面を見る願望を満足させるため、一種のテレビジョン平面画像を立体画像に変換する装置を提供することにある。
【課題を解決するための手段】
【０００４】
　請求項１の考案は、テレビジョン画像入力回路、像位検出器、像位整形器を具えたテレビジョン平面画像を立体画像に変換する装置において、除算器、画像水平制御回路、パリティー水平移動画像出力回路と発射器及びパリティー水平移動画像受信の眼鏡を具え、除算器でテレビジョン画像入力回路、像位検出器及び像位整形器の形成するテレビジョン画像を奇数画像と偶数画像に分け、この画像を水平制御回路及びパリティー水平移動画像出力回路で処理して発射器で発射し、パリティー水平移動画像受信の眼鏡で受信して立体画面を現出することを特徴とする、テレビジョン平面画像を立体画像に変換する装置としている。
【考案の効果】
【０００５】
　本考案のテレビジョン平面画像を立体画像に変換する装置は、テレビジョン画像入力回路、像位検出器、像位整形器、除算器、画像水平制御回路及びパリティー水平移動画像出力回路とその発射器を具え、別にパリティー水平移動画像を受信する眼鏡を具えている。それは除算器でテレビジョン画像入力回路、像位検出器、像位整形器の形成するテレビジョン画像を奇数画像と偶数画像に分け、画像水平制御回路及びパリティー水平移動画像出力回路とその発射器を経由し、パリティー水平移動画像を受信する眼鏡により立体画面を現出させる装置とされ、このような構造は従来にはなく、新規性と進歩性を具備し、且つ予期されたテレビジョン平面画像を立体画像に変換する効果を達成する。
【考案を実施するための最良の形態】
【０００６】
　図１に示されるように、本考案のテレビジョン平面画像を立体画像に変換する装置は、テレビジョン画像入力回路１、像位検出器２、像位整形器３、除算器４、画像水平制御回路５及びパリティー水平移動画像出力回路６とその発射器６１を具え、別にパリティー水平移動画像を受信する眼鏡７及びその受信器７１を具えている。
【０００７】
　前述のテレビジョン画像入力回路１、像位検出器２及び像位整形器３の形成するテレビジョン画像は、除算器４で奇数画像４１と偶数画像４２に分けられ、画像水平制御回路５及びパリティー水平移動画像出力回路６を経由した後に、発射器６１で発射され、パリティー水平移動画像を受信する眼鏡７の受信器７１により受信され、立体画面が現出される。
【０００８】
　前述の装置はテレビジョン機体或いはリモートコントローラーに変換ボタンが取り付けられ、立体画面を見たい時に、該変換ボタンを押すことにより、テレビジョン番組の平面画面を立体画面に変換することができる。
【０００９】
　総合すると、本考案は電子回路を利用して普通のテレビジョンの単一画面を、二つの順序を有する水平移動画面に変換し、受信眼鏡により立体画面を現出させ、その装置は従来にはなく、新規性と進歩性を具え、且つテレビジョンの平面画像を立体画像に変換する使用効果を有し、実用価値を有し、実用新案登録の要件を具備している。
【図面の簡単な説明】
【００１０】
【図１】本考案の装置のブロック図である。
【図２】本考案のテレビジョン画面の現出するパリティー水平移動画像とその発射器及び受信眼鏡の表示図である。
【符号の説明】
【００１１】
１　テレビジョン画像入力回路
２　像位検出器
３　像位整形器
４　除算器
４１　奇数画像
４２　偶数画像
５　画像水平制御回路
６　パリティー水平移動画像出力回路
６１　発射器
７　パリティー水平移動画像受信の眼鏡
７１　受信器
【図１】
0003100188.tif 000003
【図２】
0003100188.tif 000004
(57)【要約】　　　（修正有）【課題】薄肉可撓管の、拡径部を４５度傾けてパッキンを無くし、さらには耐久性まで改善し得るパッキン無し薄肉可撓管継手を提供する。【解決手段】薄肉可撓管１の両端部分に外装された袋ナット２と、袋ナット２の抜け止めとして、薄肉可撓管両端部を４５度傾け拡径にして内側に折り曲げ２重による、形成された拡径部５を備えた薄肉可撓管継手である。【選択図】図１
0003100171.tif 000002
【実用新案登録請求の範囲】
【請求項１】
薄肉可撓管の両端部分に外装された袋ナットと、袋ナットの抜け止めとして薄肉可撓管の両端部を４５度傾けて拡径にして、内側に折り曲げて２重にした、拡径に形成された事を特徴とする薄肉可撓管継手。
【考案の詳細な説明】
【考案の詳細な説明】
【技術分野】
【０００１】配管と配管の間に連結する為に使用されるパッキン無し薄肉可撓管継手に関するものである。
【背景技術】
【０００２】従来、配管と配管の間を連結する可撓管継手は、可撓管の両端部に外装された袋ナットと、袋ナットの抜け止めとして可撓管の両端部に４５度傾けて形成された拡径部とを備えており、袋ナットの内壁に刻設した雌ネジと連結対象となる金具の外壁に刻設した雄ネジとを螺着し、両者を連結するものである。【０００３】この時、袋ナットに４５度傾けて形成した縮径部は、袋ナットの回転に応じて可撓管端部に４５度傾けて形成した拡径部を配管の方向に押し進め、金具の端面と可撓管の拡径部端面を圧接させ、管の内部と外部とを構造的に遮断する。
【考案が解決しようとする課題】
【０００４】上記可撓管継手の袋ナットに４５度傾けて形成した縮径部は、袋ナットの回転に応じて可撓管端部に４５度傾けて形成した拡径部を配管の方向に押し進め、金具の端面と可撓管の拡径部端面を圧接させ、管の内部と外部とを構造的に遮断する。
【０００５】また、上記の構造で、薄肉可撓管を使用した場合可撓管継手に内圧が発生し、可撓管の波状管部分が伸び様としたとき、両端が固定されている為、波状管部分が曲がる現象が起きて、拡径部端面に引っ張る力が生じ、薄肉可撓管の方が抜ける可能性が高い。
【考案が解決するための手段】
【０００６】可撓管より薄肉可撓管の方が振動・変位に優れているが、薄肉の為可撓管に比べて両端拡径部端面の強度が低下する、それを解消する為両端拡径部端面の外周を内側に折り曲げて２重にした事により肉厚が従来の可撓管より厚くなるので強度が増した。
【０００７】また、拡径部端面を２重にした事で端面に柔軟性を保ち密着度が良くなる為締め付けが楽になる。
【考案を実施するための最良の形態】
【０００８】以下、本考案の実施の形態を図面に基づいて説明する。図１は本考案に係るパッキン無し薄肉可撓管継手の実施の形態を示す図で、一部断面にて示す。図２は図１のＡ部拡大図で、図３は従来のＡ部拡大図である。【０００１１】このパッキン無し薄肉可撓管継手は、金属製波状管からなる薄肉可撓管１と、薄肉可撓管１の両端部分に外装された袋ナット２の抜け防止として薄肉可撓管１の両端部を４５度傾けて拡径し折り曲げ成形して形成された拡径部５と、袋ナット２の縮径部６を直接、配管側部材である金具３に連結されている。【０００１２】本実施の形態において配管４の端部はテーパー雌ネジ１１が刻設されており、袋ナット２に刻設されているストレート雌ネジ７を直接螺着することができないため、袋ナット２を連結するためのアダプターとして、一端部テーパー雄ネジ１０を他端部にストレート雄ネジ８を刻設した金具３とが、この順番で配管４に螺着されている。【０００１３】図２は、薄肉可撓管１の拡径部５の端部９を４５度傾けて折り曲げ２重にする事により、柔軟性を保ち密着度を高め、強度を増す構造になっている。【０００１４】図３は、従来の構造で可撓管１の拡径部５の端部９を拡径した構造になっている。
図の説明
【図面の簡単な説明】
【図１】本考案に係るパッキン無し薄肉可撓管継手の実施の形態を示す一部断面図
【図２】図１におけるＡ部拡大図
【図３】従来のＡ部拡大図
【符号の説明】
１．　薄肉可撓管波状部
２．　袋ナット
３．　金具
４．　配管
５．　薄肉可撓管拡径部
６．　袋ナット縮径部
７．　袋ナット雌ネジ
８．　金具ストレート雄ネジ
９．　薄肉可撓管拡径部端部
１０．金具テーパー雄ネジ
１１．配管テーパー雌ネジ
【図１】
0003100171.tif 000003
【図２】
0003100171.tif 000004
【図３】
0003100171.tif 000005
(57)【要約】　　　（修正有）【課題】鍋の中に御玉杓子を入れた状態で、鍋の蓋を閉めた時に生じる隙き間から、台所で宵越しの鍋にゴキブリや害虫が侵入することのない、また屋外では風雨により砂塵や雨水の浸入もない、衛生的でかつ保温性に優れた鍋と蓋を提供する。【解決手段】鍋の蓋１の外周部に切欠ぎを設け、該切欠ぎ部に成形したシール用ラバー２を組込み、このシール用ラバーの割れ目に御玉杓子３の柄の軸部分を挿入することにより、鍋の中に御玉杓子を入れた状態でも、鍋の蓋を容易にかつ確実に全部閉めることが可能となり、台所ではゴキブリや害虫の侵入を防ぎ、また屋外では風雨による砂塵や雨水の浸入も防ぐことが可能となり、衛生的で保温性の高い効果を得ることが可能となる。【選択図】図２
0003100174.tif 000002
【実用新案登録請求の範囲】
【請求項１】
の考案は、外周部に切欠ぎを有する鍋の蓋であって、前記切欠ぎ部に成形したシール用のラバーを組込み，該シール用ラバーの割れ目に御玉杓子の柄の軸部分を挿入し、鍋の蓋を閉じることで鍋の中に御玉杓子を入れたままの状態でも、容易にかつ確実に鍋の蓋を全部閉めることを可能に構成したことを特徴とする鍋の蓋である。
【考案の詳細な説明】
【技術分野】
【０００１】本考案は料理用の鍋の蓋に関し、更に記述すると鍋の中に御玉杓子を入れた状態でも、鍋の蓋を容易にかつ確実に全部閉めることが可能である鍋の蓋に関する。
【背景技術】
【０００２】近年，自炊生活をする人達の増加と料理の種類の多様化で、様々な料理のための鍋と蓋が開発されている。また，合宿やキャンプでも料理を作る機会が多く，片手鍋や両手鍋が種々生産されている。
【考案の開示】
【考案が解決しょうとする課題】
【０００３】しかしながら鍋の中に御玉杓子を入れた状態で、鍋の蓋を容易にかつ確実に全部閉めることの可能な鍋の蓋は未だ存在せず、その開発が強く望まれていた。
本考案はこの様な状況下，以下の目的を達成することを課題とする。即ち本考案は，鍋の中に御玉杓子を入れた状態で鍋の蓋を閉めた時に生じる隙き間から、台所で宵越しの鍋にゴキブリや害虫が侵入したり、また野外での料理時に風雨による砂麈や雨水が侵入することのない，衛生的でかつ保温性に優れた鍋と蓋を提供することを目的とする。
【課題を解決するための手段】
【０００４】本考案は前記課題を解決するため、下記の鍋の蓋を提供する。
請求項１の考案は、外周部に切欠ぎを有する鍋の蓋であって、前記切欠ぎ部に成形したシール用のラバーを組込み，該シール用ラバーの割れ目部に御玉杓子の柄の軸部分を挿入し、鍋の蓋を閉じることで鍋の中に御玉杓子を入れたままの状態でも、容易にかつ確実に鍋の蓋を全部閉めることを可能に構成したことを特徴とする鍋の蓋である。
【考案の効果】
【０００５】本考案によれば、鍋の中に御玉杓子を入れた状態でも，鍋の蓋を容易にかつ確実に全部閉めることが可能となり、台所で宵越しの鍋の中の料理にゴキブリや害虫が侵入することを防止し、また野外での料理時には風雨による砂塵や雨水が浸入することのない衛生的で保温性にも優れた鍋と蓋と御玉杓子を提供することができるものである。
【考案を実施するための最良の形態】
【０００６】本考案は鍋と蓋と成形したシール用ラバーと御玉杓子から成り立っており、実施するための最良の形態を、一実施例として図面を参照し、更に詳しく説明する。
【実施例】
【０００７】図１（Ａ）は本考案に係る鍋の蓋の平面図、図１（Ｂ）は側面図，図２は本考案実施の斜視図、をそれぞれ示す。【０００８】上記鍋の蓋１は、図１（Ａ）に示したように外周部に切欠ぎを有した形状であり、図３（Ａ）に示したように、この切欠ぎ１ａ部に成形したシール用ラバー２を組込んだ鍋の蓋である。【０００９】この鍋の蓋のシール用ラバーの割れ目２ａに、御玉杓子３の柄の軸部分３ａを挿入することで，図２に示したように，鍋の中に御玉杓子を入れた状態でも、鍋の蓋を全部閉めることができる。【００１０】前記シール用ラバーの割れ目２ａに、御玉杓子３の柄の軸部分３ａを挿入するとき図３（Ａ）に示したように、２ｃ，２ｃ部に面取りを施すこよにより，挿入時のガイドとなり挿入が容易にできる。【００１１】本考案の鍋の蓋のシール用ラバー２の御玉杓子挿入用の，割れ目２ａのシール力の調整は、鍋の蓋１の切欠ぎ１ａ，１ａとシール用ラバー２の嵌め込み用の溝２ｂ，２ｂとの幅を調整することで適度のシール力を得ることができる。【００１２】また図５（Ａ）のように、浅い鍋の中に御玉杓子を入れて蓋を全部閉めるときは，御玉杓子が斜めに寝た状態となり，鍋の蓋１の切欠ぎ１ａが長くなるため、御玉杓子３の柄の軸３ａの板状の断面形状の方向を図４（Ａ）のように横向きから，図４（Ｂ）のように縦向きに変えることで，図５（Ｂ）のように安定した状態で収納することができる。【００１３】以上、本考案の一実施形態について詳細に説明したが、本考案は上記実施の形態に限定されず、本考案の要旨を逸脱しない範囲で種々変更しても差し支えない。
【産業上の利用可能性】
【００１４】本考案の、鍋の中に御玉杓子を入れたままであっても、蓋を全部閉めることが可能な鍋と蓋と御玉杓子は、蓋への切欠ぎと、同切欠ぎ部への成形したシール用ラバーと御玉杓子により構成されており、大量生産が可能で安価に提供できるものである。
【図面の簡単な説明】
【００１５】
【図１】本考案の一実施態様に係る鍋の蓋を示し、（Ａ）は平面図、（Ｂ）は側面図である。
【図２】本考案の一実施例の、御玉杓子収納の鍋と蓋の斜視図である。
【図３】蓋の切欠ぎ部の詳細図でシール用ラバーも示し、（Ａ）は平面図（Ｂ）は断面図である。
【図４】御玉杓子の柄の軸部の板状断面の方向を示す図で（Ａ）は横向きを示し（Ｂ）は縦向きを示す説明図である。
【図５】御玉杓子の柄の軸部の板状断面の方向を変えた時の収納状態を示し（Ａ）は横向きを示し（Ｂ）は縦向きを示す説明図である。
【符号の説明】
【００１６】１　　鍋の蓋
１ａ　切欠ぎ
２　　シール用ラバー
２ａ　割れ目
２ｂ　溝
２ｃ　挿入ガイド用面取り
３　　御玉杓子
３ａ　柄の軸部
【図１】
0003100174.tif 000003
【図２】
0003100174.tif 000004
【図３】
0003100174.tif 000005
【図４】
0003100174.tif 000006
【図５】
0003100174.tif 000007
(57)【要約】
【課題】　排出された間紙が一枚一枚重なって収納されるため、紙詰まりがなくなり作業がスムーズに展開できる。また、間紙を重ねて収納するため作業スペースが縮小され、きわめてコンパクトにまとまるＣＴＰ排紙部紙揃え収納器具を提供する。
【解決手段】　印刷における自動版供給装置付ＣＴＰ（Ｃｏｍｐｕｔｅｒ　ｔｏ　ｐｌａｔｅ）システムにおいて、排紙部口に複数個のベルト状の帯（１）を設け垂らし、排出部口の下方部に傾斜面を有する排紙部ボックス（２）を設け、傾斜面上部はベルト状の帯（１）と傾斜面に空間を持たせ、排紙をベルト状の帯（１）に沿って滑り込ませ、涓り込んだ排紙を傾斜面の中間部から下部にかけてベルト状の帯（１）で押さえながら傾斜面に沿って滑らせて、印刷版の間紙の排紙を一枚ずつ紙揃えさせながら、重ねていく排紙部紙揃え収納を特徴とする。
【選択図】　　図２
0003100134.tif 000002
【実用新案登録請求の範囲】
【請求項１】
　印刷における自動版供給装置付ＣＴＰ（Ｃｏｍｐｕｔｅｒ　ｔｏ　ｐｌａｔｅ）システムにおいて、排紙部口に複数個のベルト状の帯（１）を設け垂らし、排出部口の下方部に傾斜面を有する排紙部ボックス（２）を設け、傾斜面上部はベルト状の帯（１）と傾斜面に空間を持たせ、排紙をベルト状の帯（１）に沿って滑り込ませ、滑り込んだ排紙を傾斜面の中間部から下部にかけてベルト状の帯（１）で押さえながら傾斜面に沿って滑らせて、印刷版の間紙の排紙を一枚ずつ紙揃えさせながら、重ねていく排紙部紙揃え収納器具。
【考案の詳細な説明】
【技術分野】本考案は、紙揃え器具を自動版供給装置付ＣＴＰシステムの排紙部に付けた紙整理、紙揃え収納器具に関するものである。
【背景技術】
【０００１】従来、自動版供給装置付ＣＴＰシステムの排紙部は排紙部口からはき捨てであった。
【考案の開示】
【考案が解決しようとする課題】
【０００２】これは次のような欠点があった。
（イ）排紙が乱雑に積み重なって排紙収納容量を広く取る必要性があった。
（ロ）排紙口にて前回の間紙と重なり紙詰まりを起こしていた。
（ハ）乱雑に積み重なった間紙を捨てるときに労力を要した。
（ニ）排出した間紙は乱雑に重なっていくため折れ曲がり再利用できなかった。
本考案は、これらの欠点を除くためになされたものである。
【課題を解決するための手段】
【０００３】印刷における自動版供給装置付ＣＴＰ（Ｃｏｍｐｕｔｅｒ　ｔｏ　ｐｌａｔｅ）システムにおいて、排紙部口に複数個のベルト状の帯（１）を設け垂らし、排出部口の下方部に傾斜面を有する排紙部ボックス（２）を設け、傾斜面上部はベルト状の帯（１）と傾斜面に空間を持たせ、排紙をベルト状の帯（１）に沿って滑り込ませ、滑り込んだ排紙を傾斜面の中間部から下部にかけてベルト状の帯（１）で押さえながら傾斜面に沿って滑らせて、印刷版の間紙の排紙を一枚ずつ紙揃えさせながら、重ねていく排紙部紙揃え収納器具である。
【考案の効果】
【０００４】　自動版供給装置付排紙口（３）より排出される間紙を排出口（３）より下部へ取り付けた複数個のベルト状の帯（１）により、一度排出口より間紙が出てくると、間紙が複数個のベルト上の帯（１）によって折れや曲がることなく排紙部ボックス（２）に一枚ずつ紙を揃えながら重ねていくことができる紙揃え器具である。
【実施例】
【０００５】以下、本考案の実施例について説明する。
（イ）オフセット印刷における自動版供給装置付ＣＴＰ（Ｃｏｍｐｕｔｅｒ　ｔｏ　ｐｌａｔｅ）システムにおいて、排紙部口に複数個のベルト状の帯（１）を設ける。
（ロ）帯状のベルトを下部にたらす。
（ハ）帯状のベルトをつたわり下部にＰＳ版の間紙の排紙を一枚ずつ紙揃え重ね部（４）に落とす。
（ニ）傾斜面を設けた排紙部ボックスに間紙が綺麗に整理整頓される排紙部紙揃え収納器具（５）である。
　本考案は以上のような構造で、これを使用するときは、排紙部口（３）から排出された間紙が複数個設けたベルト状の帯（１）をつたって下部に滑り落ちていき、下に設置した排紙部ボックス（２）に一枚一枚紙揃いしながら自動的に整理整頓し収納される。
【産業上の利用可能性】
【０００６】　排出された間紙が一枚一枚重なって収納されるため、紙詰まりがなくなり作業がスムーズに展開できる。また、間紙を重ねて収納するため作業スペースが縮小され、きわめてコンパクトにまとまる。
【図面の簡単な説明】
【図１】従来の収納ボックスを示した斜視図である。
【図２】本考案を示した斜視図である。
【符号の説明】
　　　１．ベルト状の帯
　　　２．排紙部ボックス
　　　３．排出口
【図３】
本考案を示した側面図である。
【符号の説明】
　　　２．排紙部ボックス
　　　４．紙揃え重ね部
　　　５．排紙部紙揃え収納器具
【図１】
0003100134.tif 000003
【図２】
0003100134.tif 000004
【図３】
0003100134.tif 000005
(57)【要約】【課題】温度管理を容易にし、きのこの品質を一定に保つことができるきのこ栽培装置を提供する。【解決手段】きのこ栽培用の菌床を載せるための棚２と、棚２の内部に設けられた調温流体を流すための循環流路と、循環流路に調温流体を流すためのポンプと、循環流路の調温流体を所定の温度に保つための温度調節機３とを有する。きのこ栽培用の菌床を載せるための棚２の内部に調温流体を流し、菌床を所定の栽培温度に保つ。【選択図】図１
0003100140.tif 000002
【実用新案登録請求の範囲】
【請求項１】
きのこ栽培用の菌床を載せるための棚と、
前記棚の内部に設けられた調温流体を流すための循環流路と、
前記循環流路に調温流体を流すためのポンプと、
前記循環流路の調温流体を所定の温度に保つための温度調節機とを、
有することを特徴とするきのこ栽培装置。
【請求項２】
前記循環経路は、開閉可能な霧吹き用孔または散水用孔を有することを特徴とする請求項１記載のきのこ栽培装置。
【考案の詳細な説明】
【０００１】
【考案の属する技術分野】
本考案は、しいたけ、まいたけその他のきのこを栽培するためのきのこ栽培装置に関する。
【０００２】
【従来の技術】
従来のきのこ栽培装置として、特許第３０８７１７１号公報に示す装置がある。すなわち、しいたけ菌床を２０℃前後で１００日間培養し、１５℃に下げた後、散水し、きのこの発生を行う装置が知られている。この温度管理のため、菌床栽培ハウス内には、通常、温風暖房装置が設けられる。
【０００３】
【考案が解決しようとする課題】
しかしながら、従来のきのこ栽培装置では、温風暖房装置による温度管理のため、菌床を載せた棚の上部と下部、温風暖房装置からの距離などによって温度差が大きく、きのこの品質を一定に保つことが難しいという課題があった。
【０００４】
本考案は、このような従来の課題に着目してなされたもので、温度管理を容易にし、きのこの品質を一定に保つことができるきのこ栽培装置を提供することを目的としている。
【０００５】
【課題を解決するための手段】
上記目的を達成するために、本考案に係るきのこ栽培装置は、きのこ栽培用の菌床を載せるための棚と、前記棚の内部に設けられた調温流体を流すための循環流路と、前記循環流路に調温流体を流すためのポンプと、前記循環流路の調温流体を所定の温度に保つための温度調節機とを、有することを特徴とする。
【０００６】
本考案に係るきのこ栽培装置で栽培するきのこは、しいたけ、まいたけその他の食用きのこのほか、食用以外のきのこであってもよい。調温流体は、水のほか、オイルであってもよい。
【０００７】
循環流路は、開閉可能な霧吹き用孔または散水用孔を有していてもよい。この場合、霧吹き用孔または散水用孔の孔径は、調節可能であることが好ましい。温度調節機は、暖房機のみから成っても、暖房および冷却機から成ってもよい。
【０００８】
本考案に係るきのこ栽培装置では、棚の内部に調温流体を流すため、棚の温度を所定の温度に保つことができる。温度を保った棚から、棚に載った菌床に直接、温度が伝わり、菌床の温度を保つことができる。これにより、菌床の温度管理を容易にし、きのこの品質を一定に保つことができる。
【０００９】
【考案の実施の形態】
以下、図面に基づき、本考案の実施の形態について説明する。
図１に示すように、きのこ栽培装置が、ハウス１内に設けられている。きのこ栽培装置は、棚２と循環流路（図示せず）とポンプ（図示せず）と温度調節機３とを有している。棚２は、パイプにより組み立てられている。図２に示すように、棚２はハウス１内に複数列設けられ、各列は複数段から成っている。棚２の各段は、数本のパイプの上にきのこ栽培用の菌床を載せるようになっている。
【００１０】
循環流路は、棚２のパイプの内部に設けられている。循環流路は、パイプのみから成っても、パイプの内部にさらに他のパイプを設けて成ってもよい。循環流路により、パイプの内部に調温流体を流せるようになっている。ポンプは、動力で循環流路に調温流体を流すようになっている。温度調節機３は、ヒーターから成り、循環流路の調温流体を所定の温度に保つことができる。さらに、ハウス１内には、温風暖房機４が設けられている。
【００１１】
きのこ栽培装置によりしいたけを栽培する場合、しいたけ菌床を２０℃±１℃で１００日間培養する。このとき、温風暖房機４の温度を２０℃に設定するとともに、きのこ栽培用の菌床を載せるための棚２の内部に調温流体を流す。調温流体は、温度調節機３により２０℃に保つようにし、菌床を２０℃±１℃の栽培温度に保つ。
【００１２】
１００日間の培養後、菌床の栽培袋の上面を切り取り、各菌床を所定の間隔、離して配置する。このとき、温風暖房機４の温度を１５℃に下げるとともに、調温流体の温度を温度調節機３により１５℃に保つようにし、菌床を１５℃の栽培温度に保つ。この状態で、菌床に注水および散水し、きのこを発生させる。
【００１３】
このように、きのこ栽培装置では、棚２の内部に調温流体を流すため、棚２の温度を所定の温度に保つことができる。温度を保った棚２から、棚２に載った菌床に直接、温度が伝わり、菌床の温度を保つことができる。これにより、菌床の温度管理を容易にし、きのこの品質を一定に保つことができる。
【００１４】
【考案の効果】
本考案によれば、温度管理を容易にし、きのこの品質を一定に保つことができるきのこ栽培装置を提供することができる。
【図面の簡単な説明】
【図１】本考案の実施の形態のきのこ栽培装置の平面図である。
【図２】図１のきのこ栽培装置の棚の正面図である。
【符号の説明】
１　ハウス
２　棚
３　温度調節機
４　温風暖房機
【図１】
0003100140.tif 000003
【図２】
0003100140.tif 000004
(57)【要約】
【課題】
　煉瓦風の意匠に一体成型された外壁材での煉瓦部と目地部の色の塗り分けや、煉瓦部1個毎に色調を変えながら塗装する不便さを解消すると共に、本物の煉瓦で施工した外壁の趣に近い外壁材を提供することを課題としている。
【解決手段】
　従来、一体成型であった外壁材を、ベースボード１と煉瓦風ブロック２という二種類の部品構成とし、煉瓦部と目地部とを分離させる事により、それぞれを個別に塗装できる構造とした。
　煉瓦風ブロック２はそれぞれ個別に塗装可能な事から、色調の異なる２色以上の色で塗り分け、ベースボード１にはめ込む事により、多色使いされた煉瓦風の外壁材の製造を容易にした。
　更に、煉瓦風ブロック２は煉瓦表面３も煉瓦側面４も同一の色調で塗装する為、これをベースボード１にはめ込むと、本物の煉瓦で外壁を施工した場合の趣に近い意匠となる。
【選択図】　　　　図１
0003100157.tif 000002
【実用新案登録請求の範囲】
【請求項１】
　ベースボード１と煉瓦風ブロック２という二種類の部品構成からなり、ベースボード１に複数の煉瓦風ブロック２をはめ込み接着する外壁材の構造。
【考案の詳細な説明】
【技術分野】
【０００１】
　本考案は、外壁材を塗装する為の構造に関する。
【背景技術】
【０００２】
　図２に示すように、従来の外壁材は、煉瓦風の意匠のものでも一体成型してあり、目地と煉瓦部の色調を変えるには、まず外壁材全体に目地の色６を塗装した後、煉瓦表面３の部分のみを、ローラー等を使用し煉瓦面の色７を塗装する方法、または外壁材の表面形状により、塗装の位置、及び色彩明度を設定して作られたデータに基づいて自動制御により各部を塗り分けながら塗装を行う方法などが行われている。
【特許文献１】特開平７−６２８２８号公報
【考案の開示】
【考案が解決しようとする課題】
【０００３】
　ローラー等を使用し塗装する方法で、煉瓦を２色以上の色で塗装するには、煉瓦ごとに色を管理しながらローラーを取り替えて塗らなくてはならず非常に手間がかかるという問題が有り、自動制御により塗装を行う方法は、自由に色彩明度を変えながら塗装でき、自然な色のぼかしなどにより非常に出来栄えの良い意匠が出来る反面、塗装データの作製に手間がかかるし、高価な機材を必要とするなどの問題が有る。
【０００４】
　また、前記のような塗装方法による場合、図2に示すように、煉瓦面の色７は煉瓦表面３にしか塗装されないために、どうしても本物の煉瓦の様な趣を表現するのに乏しい。つまり、実際に本物の煉瓦で外壁を構成する場合、煉瓦には厚みがあるので、目地部においては、煉瓦側面４と目地面５とが異なる色調で現われるが、前記のような外壁材の塗装では、煉瓦側面４と目地面５とが同一の色調になるからである。
【０００５】
　そこで本考案は、煉瓦風の意匠に一体成型された外壁材での塗装の不便さを解消すると共に、本物の煉瓦で施工した外壁の趣に近い外壁材を提供することを課題としている。
【課題を解決するための手段】
【０００６】
　煉瓦部と目地部とを分離させる為に、ベースボード１と煉瓦風ブロック２という二種類の部品構成で外壁材を形成し、それぞれを個別で塗装できる構造とした。
【考案の効果】
【０００７】
　煉瓦部と目地部とが分離している為、煉瓦部と目地部とを個別に塗装でき、煉瓦部と目地部の塗り分けの手間が改善される。更に煉瓦部が一個一個独立している事から、煉瓦部を色調の異なる２色以上の色で塗り分ける手間も改善される。しかも、煉瓦全体が同一の色調となる為、本物の煉瓦で外壁を施工した場合の趣に近い外壁材を提供する事が出来る。
【考案を実施するための最良の形態】
【０００８】
　以下、本考案を実施するための最良の形態を図面に基づいて詳細に説明する。
従来、一体成型であった外壁材を、図１に示すように、ベースボード１と煉瓦風ブロック２という二種類の部品構成とし、煉瓦部と目地部とを分離させる事により、煉瓦部と目地部を個別に塗装できるような構造となっている。
【０００９】
　ベースボード１に、煉瓦風ブロック２は複数個はめ込み接着するものであるが、それぞれ個別に塗装可能な事から、煉瓦風ブロック２を色調の異なる２色以上の色で塗り分ける事が、非常に楽な構造と言える。その様なわけで、ベースボード１に色調の異なる２色以上の煉瓦風ブロック２をはめ込めば、容易に多色使いされた煉瓦風の外壁材を製造可能な構造となっている。
【００１０】
　更に、煉瓦風ブロック２を塗装する際、煉瓦表面３と煉瓦側面４とを同時に塗装する事となる為、煉瓦部全体が同一の色調となり、本物の煉瓦で外壁を施工した場合の趣に近い外壁材を製造可能な構造となっている。
【図面の簡単な説明】
【００１１】
【図１】本考案を実施するための最良の形態を示した断面図である。
【図２】背景技術を示した断面図である。
【符号の説明】
【００１２】
　１　　ベースボード
　２　　煉瓦風ブロック
　３　　煉瓦表面
　４　　煉瓦側面
　５　　目地面
　６　　目地の色
　７　　煉瓦面の色
【図１】
0003100157.tif 000003
【図２】
0003100157.tif 000004
(57)【要約】　　　（修正有）【課題】洗濯機の脱水槽を固定しているナットをソケットレンチで外すとき、洗濯槽が４本の防振吊り棒で吊り下げられているため、ソケットレンチに加えた力が防振吊り棒によって吸収されるため、ナットが外れにくかった。【解決手段】ソケットレンチのハンドル部にスライドハンマーを取り付け、ハンマーの衝撃をハンドル部に与えることにより、洗濯機の脱水槽を固定しているナットを緩めやすくしたレンチ。【選択図】　　なし【実用新案登録請求の範囲】
【請求項１】
ハンドル部にスライドハンマーを取り付け、ハンマーの衝撃をハンドル部に与えることにより、洗濯機の脱水槽を固定しているナットを緩め易くしたレンチ。
【考案の詳細な説明】
【考案の詳細な説明】
【考案が解決しようとする課題】
【０００１】洗濯機の脱水槽を固定しているナットをソケットレンチで外すとき、洗濯槽が４本の防振吊り棒で吊り下げられているため、ハンドルに加えた力が防振吊り棒に吸収されて、ナットが外れにくい問題点があった。
【背景技術】
【０００２】従来はソケットレンチを、力任せに回すか、ハンドル部をハンマー等で強打してナットを外していた。
【課題を解決するための手段】
【０００３】スライドハンマーをソケットレンチのハンドル部に取り付け、取り外しが出来るようにした。
【考案の効果】
【０００４】スライドハンマーで衝撃を与えることにより、洗濯槽を吊り下げている防振吊り棒に力を吸収されることが減少し、ナットが外れるようになった。
【図面の簡単な説明】
【図１】ソケットレンチにスライドハンマーを取り付けた全体図
【図２】ソケットレンチとスライドハンマー平面図
【符号の説明】
１　ソケットレンチ２　スライドハンマー
【図１】
0003100101.tif 000002
【図２】
0003100101.tif 000003
(57)【要約】
〔課題〕本考案は電機掃除器のパイプに吊し紐を係着してパイプと吊し紐を両手で操作することで重い吸引パイプを老人や腰痛の人達が樂に労働が出来るようにした。
例えば、布団、毛布、じゅうたん等を吸引強で行ってる時などは、わずかに持上げる時でも一度スイッチを切るか、両手で一本の握部を持上げるため、体形を前に曲げて腰に負担をかけなければならない。そこで当考案は吊し紐の応用でパイプの吸込口を片手で持ち上げることで不便を補い老人、腰痛、子供達が樂に又たのしく労働を行えるようにした。
〔解決手段〕本考案は吊し紐１をパイプ４の一端に係着させて吊し紐１に複数のリング２を連着させ把握しやすくする又格納する時は柄部６の一端に固着したパイプ止フック５にリング２を吊着しておく。
【選択図】図１
0003100105.tif 000002
【実用新案登録請求の範囲】
【請求項１】
電気掃除器パイプ４の一端に把握リング２を複数連着させた吊し紐具１を吊着し柄部６の一端にリング２を係止するフック５を設けた電気掃除器のパイプ
【請求項２】
吊し紐１に複数箇のリング２を連着させ紐１の一端には着脱可能な係止装置を設けた電気掃除器用の吊し紐具
【考案の詳細な説明】
【技術分野】
【０００１】本考案は電気掃除機の吸引パイプに吊し紐具を係着させた、掃除機の補助具に関するものである。
【背景技術】
【０００２】従来の電気掃除機は一本のパイプを、片手、又は両手で、把握しながら使用している
【考案の開示】
【考案が解決しようとする課題】
【０００３】最近の電気掃除機はパイプと本体が一体化された、いわゆる、ステックタイプ式が使用されているが、非常に重く老人や婦女子には、持運びや作業が不便で腰痛持ちの人には負担がかゝるのでその元因を解決しようとするものである。
【課題を解決するための手段】
【０００４】本考案はパイプの吸込口近くに吊し紐具を係着させて、片手でパイプのヘッドを握り、もう片手で吊し紐具の把握リングを持ち上げたり、又横に滑らせたりすることが出来ることで問題を解決している。
【考案の効果】
【０００５】上述の様に本考案の吊し紐具は重い掃除機を軽く移動させることが出来るので腰の曲った老人、腰痛の人達に役つ。
【考案の実施するための最良の形態】
【０００６】電気掃除器の吸込口とパイプを連結する位置に、本考案のリングを連着させた吊し紐具を係着する。
【実施例】
【０００７】以下添付図に従って一実施例を説明する。
１は本考案の把握リング２を複数箇連着した吊し紐具で、パイプ４の一端に係止フック８を設けて吊し紐具１を任意の吊具装置３により重着させ、格納する時は柄部６の一端に固着されているフック５にリングを係止する。
【図面の簡単な説明】
【０００８】
【図１】本考案の吊し紐具を電機掃除器のパイプの一端に係着した平面図である
【図２】本考案の吊し紐具を吊着た掃除器の使用状態を示す図で一例である（イ）階段（ロ）壁面（ハ）場所移動（ニ）横に引く
【符号の説明】
【０００９】１　　吊し紐　　　　６　　柄部
２　　リング　　　　７　　吸込部
３　　係着具　　　　８　　パイプ側係着フック
４　　パイプ
５　　係止フック
【図１】
0003100105.tif 000003
【図２】
0003100105.tif 000004
【手続補正書】
【提出日】平成15年10月7日(2003.10.7)
【手続補正１】
【補正対象書類名】実用新案登録請求の範囲
【補正対象項目名】請求１
【補正方法】変更
【補正の内容】
【請求項１】
電気掃除器のパイプ４の一端に着脱自在な掛止フック８に把握リング２を複類連着させた吊し紐具１を掛止具３にて吊着させ柄部６の一端に吊し紐具１を掛止させうることが可能な部品を配設した電気掃除器のパイプ
(57)【要約】　　　（修正有）【課題】簡易にしてネジを使用しないでテンプルの折畳を確実にスムーズにする、めがねの簡易形バネ蝶番を提供する。【構成】めがねの枠をテンプル５と接合する金具２にポッチリ駒４を取り付ける、ポッチリ駒４とテンプル及びバネ固定５をバネ８で接続する、バネ８はテンプル５側には固定する、ポッチリ駒４側にはバネ８をポッチリ駒４の中心に貫通する、これはテンプル及びバネ固定５の折畳みの際の回転軸の働きをする。【選択図】　　図２
0003100103.tif 000002
【実用新案登録請求の範囲】
【請求項１】
ポッチリ駒にガイド用溝をＬ形に入れた、このため、めがねのテンプルが折畳みに際して、２つのステップでテンプルが安定する、めがねの簡易形バネ蝶番。
【請求項２】
ポッチリ駒にガイド用溝を丸形にする事で、めがねのテンプルの折畳みが掛かりなしにてスムーズになるめがねの簡易形バネ蝶番。
【請求項３】
ポッチリ駒のセンターとテンプルをバネ材で接続した、バネ材をテンプル側に固定することで、テンプルのガイドピン（３）が、常にバネの力で押さえられる、安定しためがねの簡易形バネ蝶番。
【考案の詳細な説明】
【考案の詳細な説明】
【技術分野】
【０００１】　本考案はテンプルの折畳みを簡易化する技術とネジを使用しない、損傷が少ないめがねの簡易形バネ蝶番。
【背景技術】
【０００２】　従来のめがねの蝶番は、金属の割り込みにしてあり。ネジで締め付けてあった、ネジでいくら締めてあってもネジが緩んでしまう欠点がある、又ネジの締めかたが強すぎると、テンプルの折畳みが硬く重くなる、重くなったテンプルの折畳みを繰り返している内にテンプルの弱い部分から折れてしまう事がある、またネジが緩んでしまうと、テンプルと枠がぐらぐらになる欠点が多かった。
【考案が解決しようとする課題】
【０００３】従来の金属の割り込み蝶番を使用しない、簡易化にしてネジを使用しないでテンプルの折畳を確実にス厶ーズにすることを解決の課題とする。
【課題を解決するための手段】
【０００４】　めがね枠をテンプルと接合する金具（２）にポッチリ駒（４）を取り付けた、ポッチリ駒（４）とテンプル及びバネ固定（５）を、バネ（８）で接続する。バネ（８）はテンプル及びバネ固定（５）側は固定する、ポッチリ駒（４）側はバネ（８）をポッチリ駒（４）の中心に貫通して置く、テンプル及びバネ固定（５）の折畳みの際の回転軸になる。
【０００５】ポッチリ駒（４）には溝の形が２通りあります、一つは図４拡大図です、ポッチリ駒（４）のテンプルガイド（丸ガイド付き）（６）にテンプルガイドピン（３）が常に入り、バネ（８）の働きで、一定の強度で溝に入り込んでいる。またテンプルガイド（丸ガイド付き）（６）は（図４）溝が点線で印してあるように丸溝になっているために、テンプルガイドピン（３）が滑らかな折畳みである。一方ガイドピン（Ｌ形ガイド付き）（７）は図５で示すように溝がＬ形になっているのでテンプルの折畳みが２ステップする、折畳みの際Ｌ形の角を越えるので確実にテンプルの位置保持する。
【０００６】　図１、図２でわかるようにめがね枠とテンプルを接続する金具（２）とテンプルガイドピン（３）の所に少々の隙間があります、（現状図１、図２は通常テンプルを開いた状態である）例えば顔の額巾が少々広めでも隙間のある分はテンプルが大きく広がってくれます、テンプルにはバネの力で顔を挟む働きがあるのです。
【考案の効果】
【０００７】　従来の割る込み蝶番とかネジを使われていたが、本考案では使われていないために蝶番の緩みは出ません、またテンプルの損傷が無い、また顔の額巾も違ってもゆうず性があり、バネの力で顔を挟む働きがあるのでめがね枠がずれて下がる事も少ない、利点がある。
【図面の簡単な説明】
【図１】本考案の実施例である、上部から見た平面図。
【図２】本考案の実施例である、下部から見た平面図。
【図３】本考案の実施例である、上部から見たテンプルの畳んだ平面図。
【図４】考案のポッチリ駒の拡大図（丸ガイド）上部から見た平面図。
【図５】考案のポッチリ駒の拡大図（角ガイド）上部から見た平面図。
【図６】テンプルを顔の広い額に合わせ広げた状態、上部から見た平面図。
【図７】テンプルを通常広げた状態の上部から見た平面図。
【図８】テンプルを折畳む寸前の状態を上部から見た平面図。
【図９】考案の簡易形バネ蝶番を横から見た側面図。
【図１０】ポッチリ駒部分の拡大した横から見た側面図。
【符号の説明】
　１・・めがね枠
　２・・めがね枠とテンプルを接続金具
　３・・テンプルガイドピン
　４・・ポッチリ駒
　５・・テンプル
　６・・ポッチリ駒（丸ガイド付き）
　７・・ポッチリ駒（Ｌ形ガイド付き）
　８・・バネ
【図１】
0003100103.tif 000003
【図２】
0003100103.tif 000004
【図３】
0003100103.tif 000005
【図４】
0003100103.tif 000006
【図５】
0003100103.tif 000007
【図６】
0003100103.tif 000008
【図７】
0003100103.tif 000009
【図８】
0003100103.tif 000010
【図９】
0003100103.tif 000011
【図１０】
0003100103.tif 000012